(57)【特許請求の範囲】
【請求項１】
リブが平面視格子状に下面から下方に突設されている床パンと、複数の面状発熱部と隣接する面状発熱部同士を連結する接続部とを有する面状ヒータとを備え、リブで区画される面状ヒータの面状発熱部の収納空間が床パンの下面側に複数形成され、リブの先端部が切り欠かれて通路部が形成され、リブを介して隣接する収納空間が前記通路部で連通されており、前記面状ヒータの面状発熱部がリブを介して隣接する収納空間に収納されて床パンの下面に配設され、前記面状ヒータの接続部が通路部内を通りリブに跨がって配設される床パン暖房構造において、収納空間に臨むリブの側面に、リブに略直角に突設され、かつ床パンの下面に連続するリブ補強部材が設けられていることを特徴とする床パン暖房構造。
【請求項２】
面状ヒータの接続部は、隣接する面状発熱部のヒータ線の主線部同士を電気的に接続するリード線の接続線部で構成されており、通路部におけるリブの高さが少なくともリード線の線径相当分低くされており、リブ補強部材は、通路部の両側にリブの基端部から先端部にわたって対向して設けられ、かつリブ補強部材間の間隔がリード線を嵌め込み固定可能にリード線の線径より小さくされており、前記リード線の接続線部がリブ補強部材の間に嵌め込み固定されるとともに通路部内に配線されていることを特徴とする請求項１に記載の床パン暖房構造。
【請求項３】
面状ヒータの接続部は、隣接する面状発熱部のヒータ線の主線部同士を電気的に接続するヒータ線の接続線部が配設された面状接続部で構成されており、リブ補強部材は、床パンの下面から通路部を形成するリブの先端面にわたって下り傾斜の傾斜面を有して側面視略三角形状に形成されていることを特徴とする請求項１に記載の床パン暖房構造。
【請求項４】
さらに別のリブ補強部材が、収納空間に臨むリブの側面に、通路部の両側に対向して設けられ、床パンの下面からリブの先端面にわたって下り傾斜の傾斜面を有して側面視略三角形状に形成されていることを特徴とする請求項３に記載の床パン暖房構造。
【発明の詳細な説明】
【技術分野】
【０００１】
本発明は、床パン暖房構造に関する。
【背景技術】
【０００２】
床パンの下面に面状ヒータを配設した床パン暖房構造において、床パンの剛性を高めるために、床パンの下面に平面視で格子状のリブを設けることが知られている。この格子状のリブは床パンの下面から下方に垂設されるものであり、床パンの下面への面状ヒータ設置の障害となる。そこで、本出願人は、リブにその根元にまで至るような切欠を形成して面状ヒータを配設したり、または根元にまで至らない切欠をリブに凹設するとともにそのリブの切欠を乗り越えるようにリブの形状に合わせた連結部を備えた面状ヒータを配設することを提案している（例えば、特許文献１，２参照）。
【先行技術文献】
【特許文献】
【０００３】
【特許文献１】特開２００６−３４８７０３号公報
【特許文献２】特開２００９−０５２３５５号公報
【発明の概要】
【発明が解決しようとする課題】
【０００４】
しかしながら、リブに切欠を形成したことにより、強度を確保するために設けたリブの本来の効果が低減して、リブによる床パンの剛性補強効果が十分に発揮されないという問題があった。
【０００５】
本発明は以上の通りの事情に鑑みてなされたものであり、切り欠いたリブの強度低下を抑えて、リブによる床パンの良好な剛性補強効果を確保することができる床パン暖房構造を提供することを課題としている。
【課題を解決するための手段】
【０００６】
本発明は以下のことを特徴としている。
【０００７】
第１には、リブが平面視格子状に下面から下方に突設されている床パンと、複数の面状発熱部と隣接する面状発熱部同士を連結する接続部とを有する面状ヒータとを備え、リブで区画される面状ヒータの面状発熱部の収納空間が床パンの下面側に複数形成され、リブの先端部が切り欠かれて通路部が形成され、リブを介して隣接する収納空間が前記通路部で連通されており、前記面状ヒータの面状発熱部がリブを介して隣接する収納空間に収納されて床パンの下面に配設され、前記面状ヒータの接続部が通路部内を通りリブに跨がって配設される床パン暖房構造において、収納空間に臨むリブの側面に、リブに略直角に突設され、かつ床パンの下面に連続するリブ補強部材が設けられている。
【０００８】
第２には、上記第１の発明において、面状ヒータの接続部は、隣接する面状発熱部のヒータ線の主線部同士を電気的に接続するリード線の接続線部で構成されており、通路部におけるリブの高さが少なくともリード線の線径相当分低くされており、リブ補強部材は、通路部の両側にリブの基端部から先端部にわたって対向して設けられ、かつリブ補強部材間の間隔がリード線を嵌め込み固定可能にリード線の線径より小さくされており、前記リード線の接続線部がリブ補強部材の間に嵌め込み固定されるとともに通路部内に配線されている。
【０００９】
第３に、上記第１の発明において、面状ヒータの接続部は、隣接する面状発熱部のヒータ線の主線部同士を電気的に接続するヒータ線の接続線部が配設された面状接続部で構成されており、リブ補強部材は、床パンの下面から通路部を形成するリブの先端面にわたって下り傾斜の傾斜面を有して側面視略三角形状に形成されている。
【００１０】
第４に、上記第３の発明において、さらに別のリブ補強部材が、収納空間に臨むリブの側面に、通路部の両側に対向して設けられ、床パンの下面からリブの先端面にわたって下り傾斜の傾斜面を有して側面視略三角形状に形成されている。
【発明の効果】
【００１１】
第１の発明によれば、収納空間に臨むリブの側面に、リブに略直角に突設され、かつ床パンの下面に連続するリブ補強部材が設けられているので、切り欠いたリブの強度低下が抑えられて、リブによる床パンの良好な剛性補強効果を確保することができる。
【００１２】
第２の発明によれば、通路部におけるリブの高さが少なくとも前記リード線の線径相当分低くされているので、リブの切り欠き高さを極力抑えて、リブの強度低下を極力抑えることが可能である。また、リブ補強部材が、通路部の両側にリブの基端部から先端部にわたって対向して設けられ、かつリブ補強部材間の間隔がリード線の接続線部を嵌め込み固定可能にリード線の線径より小さくされているので、リブが効果的に補強され、リブによる床パンの良好な剛性補強効果をより一層確実に確保することができるとともに、リード線の接続線部の配線作業が容易となる。面状ヒータの床パン下面への設置も容易であるため、組立性が向上する。
【００１３】
第３の発明によれば、リブ補強部材が、床パンの下面から通路部を形成するリブの先端面にわたって下り傾斜の傾斜面を有して側面視略三角形状に形成されているので、リブがより効果的に補強される。したがって、切り欠いたリブの強度低下を抑えられて、リブによる床パンの良好な剛性補強効果をより確実に確保することができる。また、リブ補強部材でリブが補強されることにより、通路部を形成するリブの高さを低くする（通路部の高さを高くする）ことが可能となり、これによって面状接続部の長さを短くすることができ、消費電力が抑えられて省エネルギー化が図られる。しかも必要以上にリブを暖めることがない。さらに通路部を形成するリブの高さが低いと面状接続部の配置がしやすくなり施工性が向上する。また、面状接続部をリブ補強部材の傾斜面に面接触で配置させることも可能であり、面状接続部の安定した配置が実現できるとともに面状接続部におけるヒータ線の接続線部による熱を床パンの上面（洗い場床面）に効果的に伝えることが可能となる利点も有する。
【００１４】
第４の発明によれば、さらに別のリブ補強部材が、収納空間に臨むリブの側面に、通路部の両側に対向して設けられ、床パンの下面からリブの先端面にわたって下り傾斜の傾斜面を有して側面視略三角形状に形成されているので、リブがより一層効果的に補強され、リブによる床パンの剛性補強効果がより増大する。
【図面の簡単な説明】
【００１５】
【図１】本発明の第１の実施形態である床パン暖房構造の要部を下方から見た分解斜視図である。
【図２】図１の床パン暖房構造を下方から見た斜視図である。
【図３】図１の床パンのリブの要部の正面図である。
【図４】図１の面状ヒータの斜視図である。
【図５】本発明の第２の実施形態である床パン暖房構造における床パンの要部を下方から見た斜視図である。
【図６】本発明の第２の実施形態である床パン暖房構造の要部を下方から見た分解斜視図である。
【図７】本発明の第３の実施形態である床パン暖房構造における床パンの要部を下方から見た斜視図である。
【発明を実施するための形態】
【００１６】
＜第１の実施形態＞
図１は、本発明の第１の実施形態である床パン暖房構造の要部を下方から見た分解斜視図であり、図２は、図１の床パン暖房構造を下方から見た斜視図である。図３は、図１の床パンのリブの要部の正面図であり、図４は、図１の面状ヒータの斜視図である。
【００１７】
図１に示すように、本実施形態の床パン暖房構造は、床パン１の下面４側に面状ヒータ２０が配設され、その下側に軟質性クッション材３０及び硬質性断熱材４０が順次配設され、最終的には、図２に示すように、排水部３を除く床パン１の下側が硬質性断熱材４０で覆われて構成される。
【００１８】
この床パン１は、浴室の洗い場の床を形成し、上面が洗い場床面として構成され、下面４にはリブ２が複数下方に突設されている。リブ２は排水部３を除く床パン１の下面全域に縦横に交差して平面視格子状に設けられており、このリブ２により床パンは良好な剛性補強がなされている。
【００１９】
後述するように、面状ヒータ２０は、複数の面状発熱部２１と、隣接する面状発熱部２１同士を連結する接続部２２とを有しており、床パン１には、縦横に交差するリブ２で区画される平面視矩形状の空間が面状ヒータ２０の面状発熱部２１の収納空間５として下面４側に形成されており、面状ヒータ２０の各面状発熱部２１がこの収納空間５に収納されて床パン１の各区画の下面４に配設される。また、リブ２には、その先端部が凹状に切り欠かれて通路部６が形成されており、リブ２を介して隣接する収納空間５が前記通路部６で連通されており、面状ヒータ２０の接続部２２が、通路部６内を通りリブ２に跨って配設される。つまり面状ヒータ２０の接続部２２は、収納空間５に臨むリブ２の両側面９ａ，９ｂ及び通路部６内に沿って配設される。
【００２０】
本実施形態の面状ヒータ２０は、図４に示すように、金属製の均熱シートで構成されるシート材２３に、通電状態で発熱するヒータ線２４が配線されており、またヒータ線２４への通電量を制御してその発熱量を制御する温度調節器２５を備えている。シート材２３としては、例えば、熱伝導性が良好なアルミニウム製のものが用いられる。ヒータ線２４はチュービングヒータが用いられ、シート材２３に熱接着して固定される。温度調節器２５は接着剤や両面接着テープ等によりシート材２３に固定される。
【００２１】
このような面状ヒータ２０は、複数の面状発熱部２１が所定の間隔をもって一直線上に配置され、隣接する面状発熱部２１間には接続部２２が連設されており、長尺の帯状に形成されている。各面状発熱部２１の外形形状は、各区画の収納空間５の外形形状と略一致し平面視略矩形状に形成されており、各面状発熱部２１は各区画の下面４全体を覆うように配設される。面状発熱部２１にはその全域にヒータ線２４の主線部２４ａが蛇行状に配線されて面状発熱部２１の全域が発熱可能とされ、面状発熱部２１が配設される床パン１の各区画の下面４全体が略均一に加熱可能とされている。面状ヒータ２０の接続部２２は、ヒータ線２４の接続線部２４ｂが配線される面状接続部２２ａとして構成されており、このヒータ線２４の接続線部２４ｂは、一対のヒータ線２４で構成され、隣接する面状発熱部２１におけるヒータ線２４の主線部２４ａ同士を電気的に接続し、面状接続部２２ａを発熱可能にしている。また、面状接続部２２ａは、通路部６を通りリブ２に跨って配設されるために、通路部６に通過可能に通路部６の幅と略等しくされ、かつ屈曲変形可能に形成される。面状接続部２２ａが通路部６内を通りリブ２に跨って配設されるとヒータ線２４の接続線部２４ｂによりリブ２が加熱可能とされる。したがって、床パン１の下面４側に配設した面状ヒータ２０は、床パン１の各区画の下面４及びリブ２を加熱することになり、床パン１の下面４全体を略途切れなく加熱することが可能であり、洗い場床面を略均一の温度に加熱することができる。
【００２２】
ところで、面状ヒータ２０に面状接続部２２ａを複数設けて面状発熱部２１を長手方向に連設したものを作製するには、その製造のための設備が大型化して製造コストがかかる。また製品も大型化するため管理コスト等も増大する。そこで、本実施形態の面状ヒータ２０は、より簡便に製造するために複数ある接続部２２としての面状接続部２２ａの一部をリード線２６の接続線部２２ｂとして構成している。このリード線２６の接続線部２２ｂは、隣接する面状発熱部２１におけるヒータ線２４の主線部２４ａ同士を電気的に接続している。
【００２３】
本実施形態では、床パン１のリブ２の先端部を切り欠いて通路部６を設けたことによるリブ２の強度低下を抑えるために、収納空間５に臨むリブ２の両側面９ａ，９ｂに、リブ２に略直角に突出し、かつ床パン１の下面４に連続するリブ補強部材１０ａ，１０ｂが設けられている。リブ補強部材はリブの一方の側面にのみ設けられていてもよいが、リブの強度低下を抑えてリブによる床パンの良好な剛性補強効果を確保するためにはリブの両側面に設けられることが望ましい。その場合においてリブ補強部材がリブを挟んで面対称に配置されることで床パンの剛性補強効果がより効果的に発揮される。
【００２４】
本実施形態のリブ補強部材１０ａ，１０ｂはリブ２の両側面９ａ，９ｂにそれぞれ設けられており、リブ２の側面９ａ，９ｂの各々のリブ補強部材１０ａ，１０ｂはリブ２を挟んで面対称に配置され、リブ２の一方の側面９ａのリブ補強部材１０ａの構成は他方の側面９ｂのリブ補強部材１０ｂと同じ構成としている。このため以下にリブ２の一方の側面９ａに配置されるリブ補強部材１０ａについて説明し、他方の側面９ｂに配置されるリブ補強部材１０ｂについては説明を省略する。
【００２５】
本実施形態では、通路部６の両側、つまり通路部６を挟むように通路部６の左右に、側面視矩形板状の一対のリブ補強部材１０ａがリブ２の基端部から先端部にわたって対向して設けられている。左右両側の一対のリブ補強部材１０ａは互いに略平行に配置されている。左右両側のリブ補強部材１０ａの間には面状ヒータ２０の接続部２２であるリード線２６の接続線部２２ｂが嵌め込まれて固定されるようになっている。ここで、リード線２６の接続線部２２ｂを左右両側のリブ補強部材１０ａの間に嵌め込み固定可能とするため、本実施形態では左右両側のリブ補強部材１０ａ間の間隔ｘをリード線２６の線径よりも小さくするようにしている。その間隔ｘの下限値はリード線２６の嵌め込み固定が可能な値であり特に限定されるものではないが、例えば、リード線２６の心材の線径以上であることが考慮される。また、通路部６の幅は、リード線２６の接続線部２２ｂが通過可能にリブ補強部材１０ａ間の間隔ｘと同じである。
【００２６】
さらに本実施形態では、通路部６におけるリブ２の高さが少なくともリード線２６の線径相当分低くされている。つまり、リブ２の通路部６の高さｙがリード線２６の線径相当分であるか、または高さｙがリード線２６の線径より大きくなるように設定される。リブ２の強度低下を極力抑えるためには通路部６の高さｙをリード線２６の線径相当分に設定することが好ましい。通路部６の高さｙをリード線２６の線径相当分またはリード線２６の線径より大きくなるように設定することで、リード線２６の接続線部２２ｂを通路部６に配線した際にリード線２６がリブ２の先端面２ａから突出することがなく、例えば、施工途中で床パン１を地面等に置いた際にリード線２６の接続線部２２ｂが地面等に接地することを回避し、接地にともなうリード線２６の接続線部２２ｂの損傷を防止することができる。
【００２７】
以上のように本実施形態では、リブ補強部材１０ａが、通路部６の両側にリブ２の基端部から先端部にわたって対向して設けられ、かつリブ補強部材１０ａ間の間隔がリード線２６を嵌め込み固定可能にリード線２６の線径より小さくされているので、リブ２が効果的に補強され、リブ２による床パン１の良好な剛性補強効果をより一層確実に確保することができるとともに、リード線２６の接続線部２２ｂの配線作業が容易となる。面状ヒータ２０の床パン１下面４への設置も容易であるため、組立性が向上する。また、通路部６におけるリブ２の高さが少なくとも前記リード線２６の線径相当分低くされているので、リブ２の切り欠き高さ（通路部の高さ）を極力抑えて、リブ２の強度低下を極力抑えることが可能である。
【００２８】
本実施形態では、上記したように面状ヒータ２０の下側に軟質性クッション材３０及び硬質性断熱材４０が順次配設される。
【００２９】
軟質性クッション材３０は、床パン１の収納空間５に配設された面状ヒータ２０の面状発熱部２１を保護するために設置され、床パン１のリブ２の下方には設置されない。軟質性クッション材３０は板状であり、その外形形状は床パン１の収納空間５の外形形状に対応した形状であり、平面視矩形状に形成されている。
【００３０】
硬質性断熱材４０は、厚肉部４１と薄肉部４２とが長さ方向に交互に形成されている。薄肉部４２は床パン１のリブ２を下方に配置され、厚肉部４１は収納空間５に配置される。厚肉部４１の外形形状は床パン１の収納空間５の外形形状に対応した形状であり、横断面視矩形状に形成されている。硬質性断熱材４０の中央部には貫通孔４３が設けられている。この貫通孔４３は、面状ヒータ２０の面状発熱部２１の中央部及び軟質性クッション材３０に設けられた貫通孔２８，３１とともに、床パン１の下面４から下方に突設された取付用ボス７が挿通される。取付用ボス７には取付孔７ａが穿設されており、この取付孔７ａに対して、硬質性断熱材４０の下方から押さえ金具４４、ワッシャ４５を介して取付用ネジ４６を螺入させることで、上記押さえ金具４４で硬質性断熱材４０の厚肉部４１を下支えし、床パン１の下面４に面状ヒータ２０、軟質性クッション材３０及び硬質性断熱材４０が固定される。
【００３１】
このように面状ヒータ２０を床パン１の下面４に設置した際には、面状ヒータ２０の下方が硬質性断熱材４０で覆われているので、面状ヒータ２０で発生した熱を床パン１側に効率良く伝熱できて、面状ヒータ２０の加熱効率の向上が図られている。特に、主に加熱がなされる床パン１の下面４に配設される面状発熱部２１の下方では、軟質性クッション材３０と硬質性断熱材４０とが積層されて断熱性が高められているので、面状ヒータ２０による床パン１の加熱効率の向上が効果的に図られている。
＜第２の実施形態＞
図５は、本発明の第２の実施形態である床パン暖房構造における床パンの要部を下方から見た斜視図であり、図６は、本発明の第２の実施形態である床パン暖房構造の要部を下方から見た分解斜視図である。なお、図１−４に示した部分と同一の部分については同じ符号を付し、説明を省略する。
【００３２】
本実施形態においても、床パン１のリブ２の先端部を切り欠いて通路部６を設けたことによるリブ２の強度低下を抑えるために、収納空間５に臨むリブ２の両側面９ａ，９ｂに、リブ２に略直角に突出し、かつ床パン１の下面４に連続するリブ補強部材１１ａ，１１ｂが設けられている。リブ補強部材１１ａ，１１ｂは、リブ２の一方の側面９ａにのみ設けられていてもよいが、上記第１の実施形態で説明したように床パン１の良好な剛性補強効果を確保するためにリブ２の両側面９ａ，９ｂに設けられることが望ましく、より好適にはリブ２を挟んで面対称にリブ補強部材１１ａ，１１ｂがそれぞれリブ２の両側面９ａ，９ｂに配置されて設けられることである。本実施形態のリブ補強部材１１ａ，１１ｂはリブ２を挟んで面対称にリブ２の両側面９ａ，９ｂにそれぞれ設けられており、リブ２の一方の側面９ａのリブ補強部材１１ａの構成は他方の側面９ｂのリブ補強部材１１ｂと同じ構成としている。このため以下にリブ２の一方の側面９ａに配置されるリブ補強部材１１ａについて説明し、他方の側面９ｂに配置されるリブ補強部材１１ｂについては説明を省略する。
【００３３】
本実施形態のリブ補強部材１１ａは、通路部６のリブ２の上側部分において幅方向の左右両端部及び中央部の三箇所に、床パン１の下面４から通路部６を形成するリブ２の先端面２ｂにわたって設けられ、下り傾斜の傾斜面１３を有し、側面視で通路部６におけるリブ２の先端部側を頂部として略三角形状に形成されている。三箇所のリブ補強部材１１ａはそれぞれ上下方向に略平行に設けられている。各々のリブ補強部材１１ａの傾斜面１３の勾配は等しくされ、その傾斜面１３に面状ヒータ２０の接続部２２である面状接続部２２ａが面接触で配置可能にもなっている。
【００３４】
リブ補強部材１１ａは、通路部６のリブ２の上側部分に形成され、リブ２の補強のバランスがとれるとともに面状接続部２２ａがバランスよく配置されるものであれば、リブ補強部材１１ａの数、配設位置、幅等は特に限定されない。例えば、通路部６のリブ２の上側部分の左右両端部の二箇所もしくは中央部のみの一箇所であってもよいし、通路部６の上側部分幅方向全てにリブ補強部材１１ａが形成されていてもよい。
【００３５】
以上のように本実施形態では、リブ補強部材１１ａが、床パン１の下面４から通路部６を形成するリブ２の先端面２ｂにわたって下り傾斜の傾斜面１３を有して側面視略三角形状に形成されているので、リブ２がより効果的に補強される。したがって、切り欠いたリブ２の強度低下を抑えられて、リブ２による床パン１の良好な剛性補強効果をより確実に確保することができる。また、リブ補強部材１１ａでリブ２が補強されることにより、通路部６を形成するリブ２の高さをできるかぎり低くする（言い換えれば通路部６の高さを高くする）ことが可能となり、通路部６を通過させる面状ヒータ２０の接続部２２の長さ、例えば面状接続部２２ａの長さを短くすることができ、これによって消費電力が抑えられて省エネルギー化が図られる。しかも必要以上にリブ２を暖めることがない。さらに通路部６を形成するリブ２の高さが低いと面状接続部２２ａの配置がしやすくなり施工性が向上する。また、面状接続部２２ａをリブ補強部材１１ａの傾斜面１３に面接触で配置させることも可能であるため、面状接続部２２ａの安定した配置が実現できるとともに面状接続部２２ａにおけるヒータ線２４の接続線部２４ｂによる熱を床パン１の上面（洗い場床面）に効果的に伝えることが可能となる利点も有する。
【００３６】
本実施形態では、図６に示すように、面状ヒータ２０の面状接続部２２ａが通路部６内を通りリブ２に跨って配置されている。このため、第１の実施形態で説明したように、面状接続部２２ａは通路部６に通過可能に通路部６の幅と略等しくされ、かつ屈曲変形可能に形成される。このように面状ヒータ２０の面状接続部２２ａは通路部６内を通りリブ２に跨って配置されるので、面状接続部２２ａが通路部６両側のリブ２先端面２ａから突出することがなく、例えば、施工途中で床パン１を地面等に置いた際に面状接続部２２ａが地面等に接地することを回避し、接地にともなう面状接続部２２ａの損傷を防止することができる。
【００３７】
また、面状ヒータ２０の面状接続部２２ａがリブ補強部材１１ａの傾斜面１３に面接触して配置された場合には、面状接続部２２ａにおけるヒータ線２４の接続線部２４ｂにより通路部６を形成するリブ２の先端面２ｂ及びリブ補強部材１１ａの傾斜面１３が加熱可能とされる。この場合、床パン１の下面４側に配設した面状ヒータ２０は、床パン１の各区画の下面４、リブ補強部材１１ａ及びリブ２を加熱することになり、床パン１の下面４全体を略途切れなく加熱することが可能であり、洗い場床面を略均一の温度に加熱することができる。
【００３８】
本実施形態では、通路部６を形成しているリブ２の先端面２ｂの幅方向中央に位置決め用突起８が上方に突設されている。また、面状ヒータ２０の面状接続部２２ａには、前記位置決め用突起８に嵌合させる位置決め用の貫通孔２７が形成されている。面状ヒータ２０を床パン１の下面４側に配設する際には、視認性のよいリブ２の位置決め用突起８に面状ヒータ２０の面状接続部２２ａの貫通孔２７を嵌め込むことにより、簡便かつ正確に面状ヒータ２０を床パン１の下面４側に配設することができ、良好な製造性が確保される。
【００３９】
本実施形態では、面状ヒータ２０を床パン１の下面４側に配設した後、面状ヒータ２０の面状接続部２２ａを保護するために保護カバー５０が取り付け固定される。
【００４０】
保護カバー５０は、中央部に固定用突起５３が上方に向けて突設されている底壁部５１とこの底壁部５１の両側端から略垂直に起立する一対の側壁部５２とから構成され、上方に開口した断面コ字状の硬質部材であり、面状ヒータ２０の面状接続部２２ａが配設される通路部６を形成するリブ２の上側部分に配設されたリブ補強部材１１ａに跨るように取り付けられて面状ヒータ２０の面状接続部２２ａの保護が図られる。保護カバー５０の固定は、保護カバー５０の対向する側壁部５２の間に面状ヒータ２０の面状接続部２２ａが配設されるリブ補強部材１１ａを配置し、リブ２の位置決め用突起８に穿設された取付用孔８ａに保護カバー５０の固定用突起５３を嵌め込み固定することでなされる。
【００４１】
保護カバー５０を固定した後は、第１の実施形態と同様にして軟質性クッション材３０及び硬質性断熱材４０が順次配設される。
＜第３の実施形態＞
図７は、本発明の第３の実施形態である床パン暖房構造における床パンの要部を下方から見た斜視図である。なお、図１−６に示した部分と同一の部分については同じ符号を付し、説明を省略する。
【００４２】
本実施形態では、第２の実施形態で説明した図５に示すリブ補強部材１１ａ，１１ｂに加えて、さらに別のリブ補強部材１２ａ，１２ｂが、収納空間５に臨むリブ２の両側面９ａ，９ｂにそれぞれ１対ずつ、通路部６の両側に対向して設けられている。リブ２の一方の側面９ａに設けられた１対のリブ補強部材１２ａは、リブ２の補強効果を高めるため、通路部６を挟むように通路部６に近接した箇所に、床パン１の下面４からリブ２の先端面２ａにわたって設けられ、下り傾斜の傾斜面１４を有し、側面視でリブ２の先端部側を頂部とする略三角形状に形成されている。また、一対のリブ補強部材１２ａは互いに上下方向に略平行に設けられている。リブ２の他方の側面９ｂに設けられた１対のリブ補強部材１２ｂも、１対のリブ補強部材１２ａと同様、通路部６を挟むように通路部６に近接した箇所に、床パン１の下面４からリブ２の先端面２ａにわたって設けられ、下り傾斜の傾斜面１４を有し、側面視でリブ２の先端部側を頂部とする略三角形状に形成されており、互いに上下方向に略平行に設けられている。上記リブ補強部材は、リブの一方の側面にのみ設けられていてもよいが、上記第１の実施形態で説明したように、床パンの良好な剛性補強効果を確保するためにリブの両側面に設けられることが望ましく、より好適にはリブを挟んで面対称にリブの両側面にそれぞれ設けられることである。
【００４３】
本実施形態では上記リブ補強部材がさらに設けられているので、リブがより一層効果的に補強され、リブによる床パンの剛性補強効果がより増大する。
【符号の説明】
【００４４】
１  床パン
２  リブ
４  下面
５  収納空間
６  通路部
９ａ，９ｂ  側面
１０ａ，１０ｂ、１１ａ，１１ｂ，１２ａ，１２ｂ  リブ補強部材
１３，１４  傾斜面
２０  面状ヒータ
２１  面状発熱部
２２  接続部
２２ａ  面状接続部
２２ｂ  接続線部
２４  ヒータ線
２４ａ  主線部
２４ｂ  接続線部
２６  リード線
【図１】
0005390298.tif 000002
【図２】
0005390298.tif 000003
【図３】
0005390298.tif 000004
【図４】
0005390298.tif 000005
【図５】
0005390298.tif 000006
【図６】
0005390298.tif 000007
【図７】
0005390298.tif 000008